(57)【特許請求の範囲】
【請求項１】
着座者を支持する座部材と、前記座部材を支持する座ベースと、前記座ベースと前記座部材の間に設けられ、着座位置が予め設定された位置から偏倚すると偏倚した方向に前記座部材を傾動させる傾動手段と、前記座ベースと前記座部材の間に設けられ、前記座部材を傾動していない姿勢になるように付勢する付勢手段と、左右に離間して設けられて前記座部材の傾動に連動して前記着座者を刺激して又は前記着座者に与える感触を変化させて前記座部材の傾動を感知させる感知手段とを備え、前記左右の感知手段は、それぞれ、背もたれの一部を前方に変位させる揺動プレート、及び、前記座ベースとの連結点を支点とすると共に前記座部材との連結点を力点とし且つ前記揺動プレートとの連結点を作用点として前記力点の下降によって前記作用点を前進させて前記揺動プレートを前方に揺動させるリンクを有し、前記座部材が左側に傾動すると前記リンクの揺動によって左側の前記揺動プレートが前方に変位し、前記座部材が右側に傾動すると前記リンクの揺動によって右側の前記揺動プレートが前方に変位することを特徴とする椅子。
【請求項２】
着座者を支持する座部材と、前記座部材を支持する座ベースと、前記座ベースと前記座部材との間に設けられて着座位置が予め設定された位置から偏倚すると偏倚した方向に前記座部材を傾動させる傾動手段と、前記座ベースと前記座部材との間に設けられて前記座部材を傾動していない姿勢になるように付勢する付勢手段と、左右に離間して設けられて前記座部材の傾動に連動して前記着座者を刺激して又は前記着座者に与える感触を変化させて前記座部材の傾動を感知させる感知手段とを備え、前記左右の感知手段は、それぞれ、背もたれに設けた膨出部と当該膨出部とチューブを介して連通されているエアポンプとを有して前記膨出部を前方に向けて膨出させるものであり、前記座部材が左側に傾動すると前記エアポンプが潰れて前記チューブを介して流体が送り込まれて左側の前記膨出部が前方に向けて膨出し、前記座部材が右側に傾動すると前記エアポンプが潰れて前記チューブを介して流体が送り込まれて右側の前記膨出部が前方に向けて膨出することを特徴とする椅子。
【請求項３】
前記座ベースと前記座部材の間に前記座部材の後方への傾動を防止する傾動防止手段を備えることを特徴とする請求項１または２記載の椅子。
【請求項４】
着座者を支持する座部材と、前記座部材を支持する座ベースと、前記座ベースと前記座部材との間に設けられて着座位置が予め設定された位置から偏倚すると偏倚した方向に前記座部材を傾動させる傾動手段と、前記座ベースと前記座部材との間に設けられて前記座部材を傾動していない姿勢になるように付勢する付勢手段と、左右に離間して設けられて前記座部材の傾動に連動して前記着座者を刺激して又は前記着座者に与える感触を変化させて前記座部材の傾動を感知させる感知手段とを備え、前記左右の感知手段は、それぞれ、可撓性の背もたれに設けられた２本の水平なスリットの間の部分、及び、前記座ベースとの連結点を支点とすると共に前記座部材との連結点を力点とし且つ前記スリットの間の部分との連結点を作用点として前記力点の下降によって前記作用点を前進させて前記スリットの間の部分を前方に変位させるリンクを有し、前記座部材が左側に傾動すると前記リンクの揺動によって左側の前記スリットの間の部分が前方に変位し、前記座部材が右側に傾動すると前記リンクの揺動によって右側の前記スリットの間の部分が前方に変位することを特徴とする椅子。
【発明の詳細な説明】
【技術分野】
【０００１】
本発明は、椅子に関する。さらに詳しくは、本発明は、傾動可能な座を有する椅子に関するものである。
【背景技術】
【０００２】
従来、座を傾動可能にした椅子がある。この椅子を図２９に示す。この椅子は、椅子フレーム１０１の座フレーム１０２に固定された支持板１０３と座部１０４との間にユニバーサルジョイント１０７を設け、座部１０４を傾動可能に支持している。椅子フレーム１０１はパイプを曲げて形成され、脚１０５と背もたれ１０６を一体に形成している。
【０００３】
この椅子を使用する場合、正しい位置に座らなければ座部１０４が傾いてしまうので、座部１０４の傾きを意識することで座り位置のずれを認識し、正しく座り直すことで正しい位置に座る習慣をつけることが可能である。
【先行技術文献】
【特許文献】
【０００４】
【特許文献１】特開２００６−６８２２３号公報
【発明の概要】
【発明が解決しようとする課題】
【０００５】
しかしながら、上述の椅子では、座部１０４の傾きに気がつかない場合がある。特に、作業に集中している時や長時間の着座によって椅子に慣れてしまった場合等には、着座者が座部１０４の傾きに気がつき難い。着座者が座部１０４の傾きに気がつかなければ自分の座り位置のずれには気がつかず、正しく座る習慣を身に付けることができない。
【０００６】
本発明は、着座者が特に座の傾きを意識しなくても座の傾きを感知することが可能な位置を提供することを目的とする。
【課題を解決するための手段】
【０００７】
かかる目的を達成するために請求項１記載の椅子は、着座者を支持する座部材と、座部材を支持する座ベースと、座ベースと座部材の間に設けられ、着座位置が予め設定された位置から偏倚すると偏倚した方向に座部材を傾動させる傾動手段と、座ベースと座部材の間に設けられ、座部材を傾動していない姿勢になるように付勢する付勢手段と、左右に離間して設けられて座部材の傾動に連動して着座者を刺激して又は着座者に与える感触を変化させて座部材の傾動を感知させる感知手段とを備え、左右の感知手段は、それぞれ、背もたれの一部を前方に変位させる揺動プレート、及び、座ベースとの連結点を支点とすると共に座部材との連結点を力点とし且つ揺動プレートとの連結点を作用点として力点の下降によって作用点を前進させて揺動プレートを前方に揺動させるリンクを有し、座部材が左側に傾動するとリンクの揺動によって左側の揺動プレートが前方に変位し、座部材が右側に傾動するとリンクの揺動によって右側の揺動プレートが前方に変位するものである。
【０００８】
したがって、着座者が座部材の正しい位置（予め正しく座る位置として設定されている位置）から偏倚した位置に座った場合、傾動手段が座部材を偏倚方向に傾動させる。この傾動に連動して感知手段が変位又は変形し、着座者の体の一部に刺激を与える（接触する又は押す）又は着座者に与える感触を変化させることで着座者に座部材の傾動を感知させる。また、着座者が立ち上がり、座部材に作用していた荷重が消滅すると、傾動していた座部材は付勢部材によって傾動していない姿勢に戻される。一方、着座者が座部材の正しい位置に座った場合、座部材は傾動しない。したがって、感知手段が作業者に刺激を与える又は着座者に与える感触を変化させることはない。  
【０００９】
また、感知手段は背もたれの一部を前方に変位させるものである。したがって、座部材の揺動に連動して背もたれの一部が前方に変位し、着座者の背中を刺激する。これにより着座者は座部材の揺動を感知する。また、座部材が左側に傾動すると左側の揺動プレートが前方に変位すると共に座部材が右側に傾動すると右側の揺動プレートが前方に変位するものである。したがって、椅子の左右方向（幅方向）に関して、座部材の傾動の方向と着座者が感知手段から刺激を受ける位置の方向とを一致させることができる。また、感知手段がリンクを有し、座部材が傾動するとリンクが揺動し、背凭れの一部を変位させる。
【００１０】
また、請求項２記載の椅子は、着座者を支持する座部材と、座部材を支持する座ベースと、座ベースと座部材との間に設けられて着座位置が予め設定された位置から偏倚すると偏倚した方向に座部材を傾動させる傾動手段と、座ベースと座部材との間に設けられて座部材を傾動していない姿勢になるように付勢する付勢手段と、左右に離間して設けられて座部材の傾動に連動して着座者を刺激して又は着座者に与える感触を変化させて座部材の傾動を感知させる感知手段とを備え、左右の感知手段は、それぞれ、背もたれに設けた膨出部と当該膨出部とチューブを介して連通されているエアポンプとを有して膨出部を前方に向けて膨出させるものであり、座部材が左側に傾動するとエアポンプが潰れてチューブを介して流体が送り込まれて左側の膨出部が前方に向けて膨出し、座部材が右側に傾動するとエアポンプが潰れてチューブを介して流体が送り込まれて右側の膨出部が前方に向けて膨出するものである。したがって、座部材の揺動に連動して膨出部が前方に向けて膨出し、着座者の背中を刺激する。これにより着座者は座部材の揺動を感知する。
【００１３】
また、請求項３記載の椅子は、座ベースと座部材の間に座部材の後方への傾動を防止する傾動防止手段を備えるものである。したがって、座部材が後方に傾動するのを防止することができる。
【００１４】
さらに、請求項４記載の椅子は、着座者を支持する座部材と、座部材を支持する座ベースと、座ベースと座部材との間に設けられて着座位置が予め設定された位置から偏倚すると偏倚した方向に座部材を傾動させる傾動手段と、座ベースと座部材との間に設けられて座部材を傾動していない姿勢になるように付勢する付勢手段と、左右に離間して設けられて座部材の傾動に連動して着座者を刺激して又は着座者に与える感触を変化させて座部材の傾動を感知させる感知手段とを備え、左右の感知手段は、それぞれ、可撓性の背もたれに設けられた２本の水平なスリットの間の部分、及び、座ベースとの連結点を支点とすると共に座部材との連結点を力点とし且つスリットの間の部分との連結点を作用点として力点の下降によって作用点を前進させてスリットの間の部分を前方に変位させるリンクを有し、座部材が左側に傾動するとリンクの揺動によって左側のスリットの間の部分が前方に変位し、座部材が右側に傾動するとリンクの揺動によって右側のスリットの間の部分が前方に変位するものである。したがって、座部材の揺動に連動して背もたれに凭り掛かった場合の感触が変化し、着座者に与える刺激が変化する。これにより着座者は座部材の揺動を感知する。
【発明の効果】
【００１５】
請求項１記載の椅子によれば、座部材の傾動に連動して感知手段が着座者に刺激を与える又は着座者に与える感触を変化させるので、着座者は特に意識していなくても受動的に着座位置のずれを感知することができる。そのため、正しい座り方をするように着座者を導くことができる。また、椅子の左右方向（幅方向）に関して、座部材の傾動方向と着座者が感知手段から刺激を受ける位置の方向（側）とを一致させることができるので、着座者は特に意識していなくても受動的に着座位置のずれ方向を感知することができる。また、リンクの揺動によって感知手段を作動させることができるので、感知手段の作動をより一層確実なものにすることができる。
【００１６】
請求項２記載の椅子のように、感知手段は背もたれに設けた膨出部を前方に向けて膨出させるものにしても良い。
【００１９】
また、請求項３記載の椅子によれば、座部材が後方に傾動するのを防止することができるので、座部材が後方に傾動して着座者を驚かせることが無く、使い勝手をより一層向上させることができる。また、背もたれに凭り掛かる場合に感知手段の作動を防止することができるので、この点からも椅子の使い勝手をより一層向上させることができる。
【００２０】
さらに、請求項４記載の椅子のように、感知手段は、可撓性の背もたれを撓ませて凭り掛かった場合の撓みやすさを部分的に変化させるものにしても良い。
【図面の簡単な説明】
【００２１】
【図１】本発明の椅子の第１の実施形態を示し、座部材が傾動していない状態の側面図である。
【図２】図１の椅子の背もたれと座を示す背面図である。
【図３】図１の椅子の座を示す断面図である。
【図４】図１の椅子の平面図である。
【図５】本発明の椅子の第１の実施形態を示し、座部材が左に傾動している状態の側面図である。
【図６】図５の椅子の座を示す断面図である。
【図７】本発明の椅子の第２の実施形態を示し、座部材が傾動していない状態の側面図である。
【図８】図７の椅子の座を示す断面図である。
【図９】図７の椅子の平面図である。
【図１０】本発明の椅子の第１の実施形態を示し、座部材が左に傾動している状態の側面図である。
【図１１】図１０の椅子の座を示す断面図である。
【図１２】本発明の椅子の第３の実施形態を示し、座部材が傾動していない状態の側面図である。
【図１３】図１２の椅子の背もたれと座を示す背面図である。
【図１４】図１２の椅子の座を示す断面図である。
【図１５】図１２の椅子の平面図である。
【図１６】図１２の椅子を示し、座部材が左に傾動している状態の側面図である。
【図１７】図１２の椅子の背もたれと座を示す背面図である。
【図１８】図１６の椅子の座を示す断面図である。
【図１９】図１６の椅子の平面図である。
【図２０】本発明の椅子の第４の実施形態を示し、座部材が傾動していない状態の側面図である。
【図２１】図２０の椅子の背もたれと座を示す背面図である。
【図２２】図２０の椅子の座を示す断面図である。
【図２３】図２０の椅子の平面図である。
【図２４】図２０の椅子を示し、座部材が左に傾動している状態の側面図である。
【図２５】図２４の椅子の背もたれと座を示す背面図である。
【図２６】図２４の椅子の座を示す断面図である。
【図２７】図２４の椅子の平面図である。
【図２８】傾動防止手段を省略した椅子の平面図である。
【図２９】従来の椅子の側面図である。
【発明を実施するための形態】
【００２２】
以下、本発明の構成を図面に示す形態に基づいて詳細に説明する。
【００２３】
図１〜図６に本発明の椅子の第１の実施形態を示す。椅子は、着座者を支持する座部材１と、座部材１を支持する座ベース２と、座ベース２と座部材１の間に設けられ、着座位置が予め設定された位置から偏倚すると偏倚した方向に座部材１を傾動させる傾動手段３と、座ベース２と座部材１の間に設けられ、座部材１を傾動していない姿勢になるように付勢する付勢手段４と、座部材１の傾動に連動して着座者を刺激して又は着座者に与える感触を変化させてに座部材１の傾動を感知させる感知手段５を備えている。
【００２４】
本実施形態では、背もたれ６を可撓性を有する板状の背もたれ６としており、上下方向のほぼ中央に２本の水平なスリット７を設けて撓み易くしている。２本のスリット７の間が上下方向において最も前方に突出している。また、背もたれ６の両側部の上下方向ほぼ中央部分は部分的に切り離されて別部材の揺動プレート８となっている。左右の揺動プレート８は内側の側縁をヒンジ９によって背もたれ本体６ａに連結されており、外側の側縁を前方に向けて旋回させるように揺動可能となっている。揺動プレート８は感知手段５の構成部材となっている。背もたれ本体６ａの上部は背支桿１０に取り付けられた左右一対の支持アーム１１によって支持されており、下部はその両側部を第２のリンク１２で座ベース２に連結されている。
【００２５】
椅子の座は座ベース２と座部材１より構成されている。座ベース２は、脚１３に支持される座受け部材１４と座受け部材１４に支持される背支桿１０とによって前後を支持され、座と背の動きを連動させる所謂シンクロロッキング機構を構成している。また、本実施形態の座部材１は、支持板１５上にクッション材１６を重ねるように取り付けた構成となっている。座部材１は傾動手段３と付勢手段４とによって座ベース２上に傾動可能に支持されている。座ベース２と座部材１との間には傾動手段３及び付勢手段４を配置すると共に座部材１の傾動を可能にする空間１７が設けられている。
【００２６】
傾動手段３は、座部材１の正しい位置に着座者が座った場合に着座者の重心が作用する位置に設けられている。ここで、正しい位置とは、椅子の設計時に着座者の座るべき位置として設定された位置である。設定された正しい位置に着座者が座った場合にはバランスがとれて座部材１は傾動しないが、正しい位置から外れた位置に着座者が座った場合にはバランスが崩れ、座部材１が傾動する。本実施形態では、座部材１の中央に対応する位置に傾動手段３が設けられている。ただし、座部材１の位置はこれに限るものではなく、着座者が正しい位置に座った場合に座部材１がバランスする位置であれば適宜設定可能である。
【００２７】
本実施形態では傾動手段３としてユニバーサルジョイントを使用している。ただし、ユニバーサルジョイントに限るものではなく、例えばピボット軸受け、ボールジョイント等でも良く、あるいはコイルスプリングやゴム製ブロック等の弾性体の変形を利用して傾動可能に支持しても良く、座部材１を傾動可能に支持できるものであれば特に限定されるものではない。本実施形態では、ユニバーサルジョイントの２本の揺動中心軸を前後方向と左右方向に向けて配置している。ただし、この配置に限るものではない。
【００２８】
座部材１が傾動可能な最大の角度は、例えば座り心地等を考慮して適宜設定される。例えば、３度である。ただし、この限りではない。
【００２９】
なお、傾動手段３がユニバーサルジョイント、ピボット軸受け、ボールジョイント等である場合には、傾動によって座部材１の一側が下がると反対側が上がることになるが、ここでは下がる側の動作に着目して揺動という。例えば、左側への傾動は、座部材１の左側が下がり、右側が上がる動きを意味する。一方、傾動手段３が弾性体の変形を利用するものである場合には、傾動によって一側が下がっても反対側はそれほど大きくは上又は下に動かない。このような場合には、大きく下がる側である一側の動作に着目して揺動という。例えば、左側への傾動は、座部材１の左側が右側に対して大きく下がり、右側が小さく下がる又は上がる動き、即ち左側に沈む動きを意味する。
【００３０】
付勢手段４は座部材１を揺動していない姿勢になるように支持している。本実施形態では、座部材１の揺動していない姿勢は水平姿勢であるので、付勢手段４は座部材１が水平になるように付勢している。ただし、必ずしも座部材１を水平になるように支持する必要はなく、例えば若干前傾（前に傾く）又は後傾（後に傾く）するように支持しても良い。即ち、着座者の体重がかかっていない状態で座部材１を傾斜させても良い。
【００３１】
本実施形態では付勢手段４としてコイルスプリングを使用している。ただし、コイルスプリングに限るものではなく、その他のスプリングを使用しても良く、着座者が立ち上がって座部材１に作用する着座者の荷重が消滅した場合に座部材１を水平に戻すことができるものであれば特に制限されない。コイルスプリングは例えば４本設けられており、座部材１の四隅に対応して配置されている。ただし、コイルスプリングの数は必ずしも４本に限るものではない。コイルスプリングの座部材１側のスプリングシートは支持板１５に、座ベース２側のスプリングシートは座ベース２に設けられた支持アーム２ａにそれぞれ取り付けられている。コイルスプリングは上下方向に沿って設けられている。
【００３２】
本実施形態では、平面視の形状において、座部材１に比べて座ベース２が小さいので、座ベース２の四隅に支持アーム２ａを設け、支持アーム２ａと座部材１との間に付勢手段４を設けることで、座の四隅に付勢手段４を配置するようにしている。
【００３３】
付勢手段４の付勢力の強さは、例えば椅子が使用されていない状態や使用されていても着座位置が正しく座部材１がバランスしている状態では、若干の外力を受けても座部材１が傾動せず、且つ、着座位置が正しい位置からずれている場合には座部材１の傾動を可能にする強さに設定されている。ただし、必ずしもこのようにする必要はなく、例えば付勢力の強さを弱いものとしてもよく、具体的には外力を受ければ座部材１が傾動する程度の付勢力としてもよい。
【００３４】
なお、付勢手段４は座部材１の最大傾動角度を決定するストッパとしても機能する。即ち、座部材１は付勢手段４の変形量が限界に達するまで傾動可能になっている。ただし、必ずしも付勢手段４をストッパとして機能させる必要はなく、付勢手段４とは別にストッパを設けても良い。
【００３５】
感知手段５は、椅子の左右にそれぞれ設けられている。感知手段５は、背もたれ６の一部を前方に変位させるものである。本実施形態では、背もたれ６の揺動プレート８を前後方向に揺動可能とすることで、背もたれ６の一部を前方に変位させるようにしている。
【００３６】
また、本実施形態の感知手段５は、座ベース２との連結点を支点１８とし、座部材１との連結点を力点１９とし、背もたれ６との連結点を作用点２０とし、力点１９の下降により支点１８を中心に揺動して作用点２０を前進させるリンク２１を有している。各点１８，１９，２０は、下側の端から上側の端に向けて力点１９、支点１８、作用点２０の順番に配置されている。本実施形態では、リンク２１はほぼＬ字形状を成し、リンク２１の下側の先端に力点１９を、力点１９の近傍に支点１８を、上側の先端に作用点２０を設けている。したがって、座部材１の揺動によって力点１９が下がると、作用点２０が前進し揺動プレート８を前方に揺動させる。即ち、感知手段５は、座部材１の傾動が右方向の成分を含む場合には背もたれ６の右側の側部（右側の揺動プレート８）を前方に変位させ、左方向の成分を含む場合には背もたれ６の左側の側部（左側の揺動プレート８）を前方に変位させる。また、力点１９と支点１８との間の距離よりも支点１８と作用点２０との間の距離の方が大きいので、座部材１の傾動距離に比べて揺動プレート８を大きく揺動させることができる。
【００３７】
本実施形態では、座部材１の底面に固定された取付具２２にリンク２１の力点１９が揺動自在に連結され、座ベース２に設けられたアーム２３の先端にリンク２１の支点１８が揺動自在に連結され、揺動プレート８の裏面に固定された取付具２４にリンク２１の作用点２０が揺動自在に連結されている。各１８，１９，２０点の揺動の中心軸は椅子の左右方向に沿っている。
【００３８】
なお、傾動方向と反対側の座部材１は持ち上がることになり、リンク２１は上記とは反対方向に揺動し、揺動プレート８を後方に向けて揺動させることになるが、揺動プレート８の後には通常十分なスペースがあるので、特に問題にはならない。
【００３９】
また、座ベース２と座部材１の間には座部材１の後方への傾動を防止する傾動防止手段２９が設けられている。傾動防止手段２９は、例えば座ベース２と座部材１の間の空間１７に設けられた凸部であり、椅子の左右方向の寸法が小さい部材を傾動手段３の後方即ち左右方向の中央に設けている。左右方向の寸法が小さい部材を左右方向の中央に設けることで、座部材１の後方への傾動を防止すると共に、左右方向及び前方向の傾動が可能になる。本実施形態では、板状の傾動防止手段２９を前後方向に沿って配置している。ただし、傾動防止手段２９はこの構成に限るものではなく、例えば複数の棒状部材を傾動手段３の後に前後方向に沿って並べるようにしても良く、あるいは１本の棒状部材を傾動手段３の後に配置するようにしても良い。本実施形態では、傾動手段３を座部材１に取り付けているが、座ベース２に取り付けても良い。
【００４０】
座部材１が後方に傾動しようとすると座部材１が傾動防止手段２９に当たるので、座部材１は後方に揺動することができない。これにより、座部材１が後方に傾動して着座者を驚かせることが無く、使い勝手をより一層向上させることができる。
【００４１】
また、傾動防止手段２９を設けることで、背もたれ６に凭り掛かってリラックスする場合等に座部材１が後方に傾動するのを防止して感知手段５の作動を防止することができる。即ち、背もたれ６を使用する場合に感知手段５が作動しないようにできるので、背もたれ６を使用する椅子については傾動防止手段２９を備えておくことが好ましい。
【００４２】
次に、感知手段５の作動について説明する。椅子が使用されていない状態では、座部材１はバランスしあるいは付勢手段４によって付勢されて水平になっている（図３）。そのため、左右の感知手段５は作動していない。
【００４３】
この状態で椅子が使用されると、即ち使用者が着座すると、座部材１に荷重がかかる。着座者の着座位置が正しく且つ着座者の姿勢も正しい場合には、座部材１はバランスするので傾動しない。したがって、左右の感知手段５は作動しない。
【００４４】
一方、着座位置がずれており、又は着座位置が正しくても着座者の姿勢が悪い場合には、座部材１のバランスが崩れ傾動する。ここで、着座位置が左側にずれている場合を例に説明すると（図６）、座部材１が左側に傾動するので左側のリンク２１の揺動によって左側の揺動プレート８が前方に変位し、着座者の背中に接触し押す（図４の二点鎖線位置、図５）。即ち、左側の感知手段５が作動して着座者の背中の左側を刺激する。つまり、着座者が背もたれ６に凭り掛かっていた場合には揺動プレート８が着座者の背中を前方に押し、背もたれ６に凭り掛かっていなかった場合には揺動プレート８が着座者の背中に接触して更に前方に押す。これにより、着座者は着座位置が左側にずれていることを受動的に感知することができる。着座位置のずれを感知した着座者は着座位置を正しく修正する。なお、着座者の着座姿勢が悪い場合も同様に感知し、着座者は姿勢を正すことになる。このように本発明の椅子は、正しい座り方をするように着座者を導くことができる。
【００４５】
なお、左側への傾動によって座部材１の右側は持ち上がることになり、右側の感知手段５のリンク２１は左側の感知手段５のリンク２１とは反対方向に揺動する。そのため、右側の揺動プレート８を後方に向けて揺動させることになるが、揺動プレート８の後には通常十分なスペースがあるので、特に問題にはならない。
【００４６】
そして、着座者が立ち上がり、座部材１に作用していた荷重が消滅すると、傾動していた座部材１は付勢手段４によって傾動していない姿勢に戻される。これにより、感知手段５の作動が解除され、元の位置に戻る。
【００４７】
なお、座部材１の傾動方向が椅子の左右方向の成分だけでなく、前方向の成分をも含む場合であっても、左右方向の成分によって感知手段５が作動する。
【００４８】
また、上述の説明では、左側の揺動プレート８を左側のリンク２１で揺動させ、右側の揺動プレート８を右側のリンク２１で揺動させるようにしていたが、必ずしもこれに限るものではなく、左側の揺動プレート８を右側のリンク２１で揺動させ、右側の揺動プレート８を左側のリンク２１で揺動させるようにしても良い。
【００４９】
次に、本発明の椅子の第２の実施形態について説明する。なお、図１の椅子の部材と同一部材については同一の符号を付してそれらの説明を省略する。本実施形態の椅子は、第１の実施形態の椅子に対して感知手段５が異なっている。
【００５０】
図７〜図１１に、本実施形態の椅子を示す。本実施形態の感知手段５は、背もたれ６に設けた膨出部２５を前方に向けて膨出させている。膨出部２５は例えば空気袋であり、背もたれ６前面の側部、具体的には左側の感知手段５の膨出部２５は背もたれ６の左側の側部に、右側の感知手段５の膨出部２５は背もたれ６の右側の側部にそれぞれ設けられている。また、本実施形態では、膨出部２５の設置高さを背もたれ６の上下方向のほぼ中央にしている。ただし、膨出部２５の設置高さは必ずしも背もたれ６の上下方向のほぼ中央に限るものではなく、膨出によって着座者に刺激を与えることが可能な高さであれば特に限定されない。
【００５１】
膨出部２５はチューブ２６を介してエアポンプ２７に連通されている。エアポンプ２７は座ベース２と座部材１との間の空間１７に配置され、左側の感知手段５のエアポンプ２７は左側の側部に、右側の感知手段５のエアポンプ２７は右側の側部にそれぞれ設けられている。本実施形態ではエアポンプ２７を座ベース２に固定しているが、座部材１の支持板１５に固定しても良い。
【００５２】
膨出部２５とエアポンプ２７とを連通するチューブ２６は椅子の使用に邪魔にならない位置、例えば背もたれ６の裏面に配置され、図示しない固定具によって固定されている。
【００５３】
次に、感知手段５の作動について説明する。感知手段５が作動していない状態、即ち、エアポンプ２７によって膨出部２５内に空気が送り込まれていない状態では、膨出部２５は萎んで薄く畳まれている（図７，図９実線位置）。
【００５４】
この状態から、椅子の使用によって座部材１が例えば左側に傾動すると、左側のエアポンプ２７が座部材１と座ベース２とに挟まれて潰れ、チューブ２６を介して左側の膨出部２５に空気を送り込む（図１１）。これにより左側の膨出部２５が前方に向けて膨らみ、着座者の背中の左側部を刺激する（図９の二点鎖線位置、図１０）。即ち、左側の感知手段５の作動によって着座者は背中の左側に刺激を受け、着座位置が左側にずれていることを受動的に感知することができる。
【００５５】
なお、左側への揺動によって座部材１の右側は持ち上がるが、エアポンプ２７は座部材１には固定されていないので、座部材１の右側は右側のエアポンプ２７から離れて持ち上がることになり、右側の膨出部２５が膨らむ事はない。
【００５６】
そして、着座者が着座位置を修正すると、座部材１がバランスして水平に戻るので、潰されていた左側のエアポンプ２７の形状が元に戻る。このとき、左側のエアポンプ２７は左側の膨出部２５内の空気を吸い戻すので、膨らんでいた左側の膨出部２５は萎んで薄く畳まれる。即ち、左側の感知手段５の作動が解除される。作動解除によって着座者は膨出部２５から刺激を受けなくなるので、着座位置が正しいことを感知することができる。着座者の着座姿勢が悪い場合や着座位置が右側にずれている場合も同様に感知し、着座者は着座姿勢や着座位置を正すことになる。このように本実施形態の椅子においても、第１の実施形態の椅子と同様に、正しい座り方をするように着座者を導くことができる。
【００５７】
なお、上述の説明では、空気を使用して膨出部２５を膨らますようにしていたが、使用する流体は空気に限るものではない。例えば、ジェル、液体等の流体を使用しても良い。
【００５８】
また、上述の説明では、膨出部２５を背もたれ６に取り付けていたが、膨出部２５の取付位置は背もたれ６に限るものではなく、着座者に刺激を与えることができる位置であれば特に制限されない。例えば、座部材１のクッション材１６の上面等に膨出部２５を設けても良い。
【００５９】
また、上述の説明では、左側の膨出部２５を左側のエアポンプ２７で膨らませ、右側の膨出部２５を右側のエアポンプ２７で膨らませるようにしていたが、必ずしもこれに限るものではなく、左側の膨出部２５を右側のエアポンプ２７で膨らませ、右側の膨出部２５を左側のエアポンプ２７で膨らませるようにしても良い。
【００６０】
次に、本発明の椅子の第３の実施形態について説明する。なお、図１の椅子の部材と同一部材については同一の符号を付してそれらの説明を省略する。本実施形態の椅子は、第１の実施形態の椅子に対して、背もたれ６に揺動プレート８が設けられていない点で異なっている。
【００６１】
図１２〜図１９に、本実施形態の椅子を示す。本実施形態の感知手段５は、可撓性の背もたれ６を撓ませて凭り掛かった場合の撓みやすさを部分的に変化させることで、座部材１の傾動に連動して着座者に与える感触を変化させて座部材１の傾動を感知させるものである。本実施形態では背もたれ６に揺動プレート８を設けていないので、感知手段５のリンク２１の作用点２０を背もたれ６に直接連結し、背もたれ６の一部を感知手段５として利用している。
【００６２】
右側の感知手段５のリンク２１は背もたれ６の右側部に、左側の感知手段５のリンク２１は背もたれ６の左側部にそれぞれ連結されている。本実施形態では、背もたれ６の上下方向のほぼ中央の高さ（図１で揺動プレート８に連結していた高さ）に連結点を設けている。ただし、連結点の高さはこれに限るものではない。また、本実施形態では、背もたれ６の裏面に固定された取付具２４にリンク２１の作用点２０が揺動自在に連結されている。連結の揺動の中心軸は椅子の左右方向に沿っている。
【００６３】
座部材１の傾動によってリンク２１が揺動し、作用点２０が前進して背もたれ６を部分的に押し出して撓ませると、背もたれ６は着座者が凭り掛かった場合に撓みにくくなる。即ち、背もたれ６に凭り掛かった場合の感触が変化するので、着座者は座部材１の傾動を感知することができる。
【００６４】
例えば、着座位置が左側にずれている場合、座部材１は左側に傾動するので、左側の感知手段５のリンク２１が背もたれ６の左側部を前方に変位させると共に、右側の感知手段５のリンク２１が背もたれ６の右側部を後方に変位させる。そのため、背もたれ６は右側に捩れるように撓み、撓んでいない場合とは凭り掛かった場合の撓みやすさが異なり、撓ませるときの感触が異なる。また、背もたれ６自体も変形していることからも、凭り掛かった場合の感触が異なる。したがって、着座者は着座位置が左側にずれていることを受動的に感知することができる。
【００６５】
なお、座部材１が右側に傾動した場合には背もたれ６は左側に捩れるように撓むので、即ち捩れる方向が異なるので、着座者は着座位置のずれの方向を感知することができる。
【００６６】
このように本実施形態の椅子においても、上述の椅子と同様に、正しい座り方をするように着座者を導くことができる。
【００６７】
なお、上述の説明では、背もたれ６の左側部を左側のリンク２１で変位させ、背もたれ６の右側部を右側のリンク２１で変位させるようにしていたが、必ずしもこれに限るものではなく、背もたれ６の左側部を右側のリンク２１で変位させ、背もたれ６の右側部を左側のリンク２１で変位させるようにしても良い。
【００６８】
次に、本発明の椅子の第４の実施形態について説明する。なお、図３の椅子の部材と同一部材については同一の符号を付してそれらの説明を省略する。本実施形態の椅子は、第３の実施形態の椅子に対して、感知手段５のリンク２８が異なっている。
【００６９】
図２０〜図２７に、本実施形態の椅子を示す。本実施形態のリンク２８は、第３の実施形態のリンク２１に比べて短く、背もたれ６の下部を上下に変位させるようにしている。即ち、座部材１との連結点である力点１９の下降によって背もたれ６との連結点である作用点２０を上昇させるようにしている。
【００７０】
右側の感知手段５のリンク２８は背もたれ６の下端右側部に、左側の感知手段５のリンク２８は背もたれ６の下端左部にそれぞれ連結されている。本実施形態では、背もたれ６の裏面に固定された取付具２４にリンク２８の作用点２０を揺動自在に連結している。連結の揺動の中心軸は椅子の左右方向に沿っている。
【００７１】
なお、本実施形態では、感知手段５のリンク２８を背もたれ６の下部に連結させているので、第３の実施形態において必要としていた背もたれ６の下部を座ベース２に連結する第２のリンク１２を省略している。
【００７２】
座部材１の傾動によってリンク２８が揺動し、作用点２０が上昇して背もたれ６を部分的に押し上げて撓ませると、背もたれ６は着座者が凭り掛かった場合に撓みにくくなる。即ち、背もたれ６に凭り掛かった場合の感触が変化するので、着座者は座部材１の傾動を感知することができる。
【００７３】
例えば、着座位置が左側にずれている場合、座部材１は左側に傾動するので、左側の感知手段５のリンク２８が背もたれ６の左側部を上方に変位させて上下方向の中央部（２本のスリット７間の上下方向において最も前方に突出している部分）を前方に突出させると共に、右側の感知手段５のリンク２８が背もたれ６の右側部を下方に変位させて上下方向の中央部を後方に引っ込める。そのため、背もたれ６は右側に捩れるように撓み、撓んでいない場合とは凭り掛かった場合の撓みやすさが異なり、撓ませるときの感触が異なる。また、背もたれ６自体も変形していることからも、凭り掛かった場合の感触が異なる。したがって、着座者は着座位置が左側にずれていることを受動的に感知することができる。
【００７４】
なお、座部材１が右側に傾動した場合には背もたれ６は左側に捩れるように撓むので、即ち捩れる方向が異なるので、着座者は着座位置のずれの方向を感知することができる。
【００７５】
このように本実施形態の椅子においても、上述の椅子と同様に、正しい座り方をするように着座者を導くことができる。
【００７６】
なお、上述の説明では、背もたれ６の左側部を左側のリンク２８で変位させ、背もたれ６の右側部を右側のリンク２８で変位させるようにしていたが、必ずしもこれに限るものではなく、背もたれ６の左側部を右側のリンク２８で変位させ、背もたれ６の右側部を左側のリンク２８で変位させるようにしても良い。
【００７７】
なお、上述の形態は本発明の好適な形態の一例ではあるがこれに限定されるものではなく本発明の要旨を逸脱しない範囲において種々変形実施可能である。
【００７８】
例えば、上述の説明では、シンクロロッキング機構を有する椅子（ロッキング椅子）を例にしていたが、本発明が適用可能な椅子はロッキング椅子に限るものではない。例えば、背支桿１０と座ベース２とを連結せず、背もたれ６の動きを座ベース２に伝えない椅子（所謂固定椅子）でも良い。
【００７９】
また、上述の椅子は傾動防止手段２９を設けていたが、傾動防止手段２９を設けなくても良い。傾動防止手段２９を設けていない椅子の例を図２８に示す。傾動防止手段２９を省略することで、後方向への傾動が可能になり、座部材１を３６０度どの方向へも傾動させることが可能になる。例えば、背もたれ６をあまり使わずに固定椅子を使用する場合等には、傾動防止手段２９を設けずに座部材１を３６０度どの方向へも傾動可能とし、着座位置の後方向へのずれを着座者に感知させるようにしても良い。なお、座部材１が後方向に傾動した場合には、座部材１の後部全体が下がるので、左右の感知手段５が同時に作動して着座者に後方向への傾動を感知させる。即ち、左右の感知手段５が両方とも作動した場合には、着座者は後方向への傾動を感知することができる。
【００８０】
また、上述の説明では、傾動手段３は座部材１を３６０度どの方向へも傾動可能にしていたが、必ずしも３６０度どの方向へも傾動可能にする必要はなく、例えば、左右方向（椅子の幅方向）にのみ傾動可能にしても良い。この場合には、着座位置の左方向又は右方向へのずれを着座者に感知させることができる。
【００８１】
また、上述の説明では、感知手段５はリンク２１，２８の揺動や流体の圧力を使用して着座者を刺激して又は着座者に与える感触を変化させるようにしていたが、必ずしもこれらに限るものではなく、例えば電気的な手段によって着座者を刺激して又は着座者に与える感触を変化させるようにしても良い。例えば、座部材１の傾動によりオンされるスイッチと、スイッチ操作によって揺動プレート８、背もたれ６の一部、膨出部２５を予め設定された所定時間だけ変位させるモータやポンプ等のアクチュエータを設け、アクチュエータの作動によって着座者を、電気的、振動、温度、風量、その他の手段により刺激して又は着座者に与える感触を変化させるようにしても良い。
【００８２】
また、上述の説明では、背もたれ６にスリット７を設けていたが、スリット７を設けなくても背もたれ６を十分に撓ませることができる場合等にはスリット７を設けなくても良い。
【符号の説明】
【００８３】
１  座部材
２  座ベース
３  傾動手段
４  付勢手段
５  感知手段
６  背もたれ
２５  膨出部
１８  支点
１９  力点
２０  作用点
２１、２８  リンク
２９  傾動防止手段
【図１】
0005642467.tif 000002
【図２】
0005642467.tif 000003
【図３】
0005642467.tif 000004
【図４】
0005642467.tif 000005
【図５】
0005642467.tif 000006
【図６】
0005642467.tif 000007
【図７】
0005642467.tif 000008
【図８】
0005642467.tif 000009
【図９】
0005642467.tif 000010
【図１０】
0005642467.tif 000011
【図１１】
0005642467.tif 000012
【図１２】
0005642467.tif 000013
【図１３】
0005642467.tif 000014
【図１４】
0005642467.tif 000015
【図１５】
0005642467.tif 000016
【図１６】
0005642467.tif 000017
【図１７】
0005642467.tif 000018
【図１８】
0005642467.tif 000019
【図１９】
0005642467.tif 000020
【図２０】
0005642467.tif 000021
【図２１】
0005642467.tif 000022
【図２２】
0005642467.tif 000023
【図２３】
0005642467.tif 000024
【図２４】
0005642467.tif 000025
【図２５】
0005642467.tif 000026
【図２６】
0005642467.tif 000027
【図２７】
0005642467.tif 000028
【図２８】
0005642467.tif 000029
【図２９】
0005642467.tif 000030